(57)【要約】【課題】複数の情報表示パネルが着脱可能に構成されるとともに、所望の情報表示パネルに所定情報を表示させる際の手間を削減し、利便性に優れた情報表示装置を提供する。【解決手段】情報表示装置は、複数の情報表示パネルと、駆動装置とを備える。駆動装置は、情報表示パネルを着脱する着脱機構を備え、複数の情報表示パネルの各々は、所定信号を入力する入力電極部と、所定信号を出力する出力電極部と、表示領域に表示される所定画像を制御する制御回路とを備える。所定信号には、画像信号と、複数の情報表示パネルの各々の順番を検出するための検出信号とが含まれており、制御回路は、予め定められた特定情報を記憶する記憶部と、検出信号と特定情報とに基づいて所定画像を表示すべきか否かを判定する表示制御部と、検出信号によって検出される順番を一つ変更する所定の変更処理を行って、出力電極部から検出信号を出力する出力制御部とを備える。【選択図】図１３
2013092629.tif 000002
【特許請求の範囲】
【請求項１】
表示メモリ性を有する複数の情報表示パネルと、前記複数の情報表示パネルに所定信号を出力して、前記複数の情報表示パネルを駆動する駆動装置とを備える情報表示装置であって、
前記駆動装置は、
前記複数の情報表示パネルを重ねて綴るとともに、前記複数の情報表示パネルの各々を着脱する着脱機構を備え、
前記複数の情報表示パネルの各々は、
前記情報表示パネルの一方の面に設けられ、前記駆動装置又は隣接する一方の情報表示パネルから前記所定信号を入力する入力電極部と、
前記情報表示パネルの他方の面に設けられ、隣接する他方の情報表示パネルに前記所定信号を出力する出力電極部と、
前記入力電極部に入力される前記所定信号に基づいて、表示領域に表示される所定画像を制御する制御回路とを備え、
前記所定信号には、所定画像を表示するための画像信号と、前記複数の情報表示パネルの各々の順番を検出するための検出信号とが含まれており、
前記制御回路は、
前記所定画像を表示すべき情報表示パネルを特定する予め定められた特定情報を記憶する記憶部と、
前記入力電極部から入力された前記検出信号と前記特定情報とに基づいて、前記画像信号を所定画像として表示すべきか否かを判定する表示制御部と、
前記入力電極部から入力された前記検出信号に対して、前記検出信号によって検出される順番を一つ変更する所定の変更処理を行って、検出信号を前記出力電極部から出力する出力制御部とを備える
ことを特徴とする情報表示装置。
【請求項２】
前記入力電極部と前記出力電極部との各々は、複数の電極によって構成されており、
前記入力電極部を構成する複数の電極に入力される前記検出信号は、ビット列データを示し、
前記記憶部は、前記特定情報として、所定のビット列データを記憶しており、
前記表示制御部は、前記検出信号によって示される前記ビット列データと、前記記憶部に記憶される前記所定のビット列データとに基づいて、前記画像信号を所定画像として表示すべきか否かを判定し、
前記出力制御部は、前記所定の変更処理として、前記入力電極部に入力された前記検出信号によって示される前記ビット列データを変更して、前記検出信号を前記出力電極部から出力する
ことを特徴とする請求項１に記載の情報表示装置。
【請求項３】
前記記憶部は、前記特定情報として、所定電圧値を記憶しており、
前記表示制御部は、前記検出信号の電圧値と、前記記憶部に記憶される前記所定電圧値とに基づいて、前記画像信号を前記所定画像として表示すべきか否かを判定し、
前記出力制御部は、前記所定の変更処理として、前記入力電極部に入力された前記検出信号の電圧値を変更して、前記検出信号を前記出力電極部から出力する
ことを特徴とする請求項１に記載の情報表示装置。
【発明の詳細な説明】
【技術分野】
【０００１】
本発明は、表示メモリ性を有する複数の情報表示パネルと、前記複数の情報表示パネルに所定信号を出力して、前記複数の情報表示パネルに配置された表示媒体を駆動する駆動装置とを備える情報表示装置に関する。
【背景技術】
【０００２】
従来、液晶表示装置（ＬＣＤ）に変わる情報表示装置として、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示装置が提案されている。これらの情報表示装置のなかでも帯電粒子気体中移動方式を用いた情報表示装置は、給電を断っても情報表示パネルの表示領域に表示させた情報が保持される表示メモリ性に優れているため、電子ペーパーとしての利用が広まっている。
【０００３】
近年では、紙と同様に、複数の情報表示パネルを重ねて綴るとともに、複数の情報表示パネルの各々を着脱可能な情報表示装置が開示されている（例えば、特許文献１参照）。
【０００４】
特許文献１に記載された情報表示装置では、着脱可能な複数の情報表示パネルの各々が、ページ番号（順番）を認識する処理を行って、認識したページ番号を駆動装置に送信するように構成されている。また、駆動装置は、複数の情報表示パネルの各々から送信されたページ番号に基づいて、所望の情報表示パネルに所定画像を表示させる。このような情報表示装置によれば、複数の情報表示パネルの各々に異なる情報を表示させて、冊子のように綴って利用することができる。
【先行技術文献】
【特許文献】
【０００５】
【特許文献１】特開２００６−１６２９０２号公報
【発明の概要】
【発明が解決しようとする課題】
【０００６】
しかしながら、特許文献１に記載された情報表示装置では、次のような問題点があった。すなわち、上述した情報表示装置では、複数の情報表示パネルの各々にページ番号を認識させる処理を行ってからでなければ、所望の情報表示パネルに所定情報を表示させることができず、所定情報を表示させる際の手間がかかるという問題があった。
【０００７】
特に、情報表示パネルが着脱可能に構成される情報表示装置では、情報表示パネルを着脱する度にページ番号を認識させる処理を行わなければならないため、利便性に欠けるものとなっていた。
【０００８】
そこで、本発明は、このような状況に鑑みてなされたものであり、複数の情報表示パネルが着脱可能に構成されるとともに、複数の情報表示パネルを取り付けた状態で、所望の情報表示パネルに所定情報を表示させる際の手間を削減し、利便性に優れた情報表示装置を提供することを目的とする。
【課題を解決するための手段】
【０００９】
上述した課題を解決するため、本発明は、次のような特徴を有している。まず、本発明の第１の特徴は、表示メモリ性を有する複数の情報表示パネル（情報表示パネル１００）と、前記複数の情報表示パネルに所定信号を出力して、前記複数の情報表示パネルを駆動する駆動装置（駆動装置２００）とを備える情報表示装置（情報表示装置１０）であって、前記駆動装置は、前記複数の情報表示パネルを重ねて綴るとともに、前記複数の情報表示パネルの各々を着脱する着脱機構（着脱機構２２０）を備え、前記複数の情報表示パネルの各々は、前記情報表示パネルの一方の面に設けられ、前記駆動装置又は隣接する一方の情報表示パネルから前記所定信号を入力する入力電極部（入力電極部１２２）と、前記情報表示パネルの他方の面に設けられ、隣接する他方の情報表示パネルに前記所定信号を出力する出力電極部（出力電極部１２３）と、前記入力電極部に入力される前記所定信号に基づいて、表示領域に表示される所定画像を制御する制御回路（制御回路１５０）とを備え、前記所定信号には、所定画像を表示するための画像信号と、前記複数の情報表示パネルの各々の順番を検出するための検出信号とが含まれており、前記制御回路は、前記所定画像を表示すべき情報表示パネルを特定する予め定められた特定情報を記憶する記憶部（記憶部１５５）と、前記入力電極部から入力された前記検出信号と前記特定情報とに基づいて、前記画像信号を所定画像として表示すべきか否かを判定する表示制御部（表示制御部１５３）と、前記入力電極部から入力された前記検出信号に対して、前記検出信号によって検出される順番を一つ変更する所定の変更処理を行って、検出信号を前記出力電極部から出力する出力制御部（出力制御部１５４）とを備えることを要旨とする。
【００１０】
本発明の特徴によれば、情報表示装置は、駆動装置と複数の情報表示パネルとを備える。情報表示装置では、駆動装置が、複数の情報表示パネルを着脱する着脱機構を備えるため、複数の情報表示パネルを着脱可能に構成されている。このような情報表示装置によれば、複数の情報表示パネルの各々を取り付け又は取り外しすることが可能になる。
【００１１】
また、情報表示装置では、複数の情報表示パネルの各々が、所定信号を入力する入力電極部と、所定信号を出力する出力電極部と、制御回路とを備える。所定信号は、画像信号と検出信号とを含む。制御回路は、予め定められた特定情報を記憶する記憶部と、画像信号を所定画像として表示すべきか否かを判定する表示制御部と、検出信号に所定の変更処理を行って、出力電極部から検出信号を出力する出力制御部とを備える。
【００１２】
出力制御部は、入力された検出信号に対して所定の変更処理を行って、出力電極部から検出信号を出力するため、複数の情報表示パネルの各々では、複数の情報表示パネルの各々の順番に応じて、所定の変更処理の実施された回数の異なる検出信号が入力される。つまり、複数の情報表示パネルの各々には、順番に応じて異なる検出信号が、入力される。
【００１３】
表示制御部は、上述のように順番に応じて異なる検出信号と記憶部に記憶される特定情報とに基づいて、画像信号を所定画像として表示すべきか否かを判定するので、表示すべき順番の情報表示パネルのみに所定画像を表示させることができる。
【００１４】
このように、かかる情報表示装置によれば、複数の情報表示パネルの各々にページの順番を認識させる処理を実行しなくとも、所望の情報表示パネルに所定情報を表示させることが可能になる。つまり、かかる情報表示装置によれば、複数の情報表示パネルのうち、所望の情報表示パネルに所定情報を表示させる際の手間を削減し、複数の情報表示パネルを閲覧する上での利便性を向上させることが可能になる。
【００１５】
本発明の他の特徴では、前記入力電極部と前記出力電極部との各々は、複数の電極によって構成されており、前記入力電極部を構成する複数の電極（検出入力電極１２２１ａ乃至１２２１ｃ）に入力される前記検出信号は、ビット列データを示し、前記記憶部は、前記特定情報として、所定のビット列データを記憶しており、前記表示制御部は、前記検出信号によって示される前記ビット列データと、前記記憶部に記憶される前記所定のビット列データとに基づいて、前記画像信号を所定画像として表示すべきか否かを判定し、前記出力制御部は、前記所定の変更処理として、前記入力電極部に入力された前記検出信号によって示される前記ビット列データを変更して、前記検出信号を前記出力電極部から出力することを要旨とする。
【００１６】
本発明の他の特徴は、前記記憶部は、前記特定情報として、所定電圧値を記憶しており、前記表示制御部は、前記検出信号の電圧値と、前記記憶部に記憶される前記所定電圧値とに基づいて、前記画像信号を前記所定画像として表示すべきか否かを判定し、前記出力制御部は、前記所定の変更処理として、前記入力電極部に入力された前記検出信号の電圧値を変更して、前記検出信号を前記出力電極部から出力することを要旨とする。
【発明の効果】
【００１７】
本発明によれば、複数の情報表示パネルが着脱可能に構成されるとともに、複数の情報表示パネルを取り付けた状態で、所望の情報表示パネルに所定情報を表示させる際の手間を削減し、利便性に優れた情報表示装置を提供できる。
【図面の簡単な説明】
【００１８】
【図１】図１は、本発明の実施形態に係る情報表示装置の概略構成を示す斜視図である。
【図２】図２（ａ）は、図１のＡ−Ａ線において、複数の情報表示パネルが表示制御部に取り付けられた状態の情報表示装置の断面図である。図２（ｂ）は、複数の情報表示パネルが表示制御部から取り外される状態の情報表示装置の断面図である。
【図３】図３は、図１に示すＢ−Ｂ線において、駆動装置に設けられる着脱機構と、複数の情報表示パネルの各々に設けられるコネクタ部との断面図である。
【図４】図４は、本実施形態に係る情報表示パネルの斜視図である。
【図５】図５（ａ）は、表示領域において、白色表示媒体が情報表示面側に位置している状態の情報表示パネルの断面図である。図５（ｂ）は、表示領域において、黒色表示媒体が情報表示面側に位置している状態の情報表示パネルの断面図である。
【図６】図６は、本実施形態に係る情報表示装置のハードウエア構成図である。
【図７】図７は、制御回路の構成と、制御回路と入力電極部及び出力電極部との接続関係を示すブロック図である。
【図８】図８は、情報表示パネルの処理を示すフローチャートである。
【図９】図９は、第２実施形態に係る情報表示装置において、駆動装置に設けられる着脱機構と、複数の情報表示パネルの各々に設けられるコネクタ部との短辺方向（Ｙ方向）における断面図である。
【図１０】図１０は、第２実施形態に係る制御回路の構成と、制御回路と入力電極部及び出力電極部との接続関係を示すブロック図である。
【図１１】図１１は、第２実施形態に係る情報表示パネルの処理を示すフローチャートである。
【図１２】図１２は、一例として、情報表示パネル１００に入力される基準クロック信号の波形と、検出信号の波形と、識別信号の波形とを示す図である。
【図１３】図１３は、第３実施形態に係る情報表示装置において、駆動装置に設けられる着脱機構と、複数の情報表示パネルの各々に設けられるコネクタ部との短辺方向（Ｙ方向）における断面図である。
【図１４】図１４は、第３実施形態に係る制御回路の構成と、制御回路と入力電極部及び出力電極部との接続関係を示すブロック図である。
【図１５】図１５は、第３実施形態に係る情報表示パネルの処理を示すフローチャートである。
【図１６】図１６は、第３実施形態に係る情報表示パネルに入出力される検出信号によって示されるビット列データの一例を示す図である。
【図１７】図１７は、第４実施形態に係る情報表示装置において、駆動装置の着脱機構と、複数の情報表示パネルのコネクタ部との短手方向（Ｙ方向）における断面図である。
【図１８】図１８は、第４実施形態に係る制御回路の構成と、制御回路と入力電極部及び出力電極部との接続関係を示すブロック図である。
【図１９】図１９は、第４実施形態に係る情報表示パネルの処理を示すフローチャートである。
【図２０】図２０は、第４実施形態に係る情報表示パネルに入出力される検出信号の電圧値の一例を示す図である。
【発明を実施するための形態】
【００１９】
以下、本発明の実施形態に係る情報表示器の一例及び制御装置の一例について、図面を参照しながら説明する。以下の図面の記載において、同一または類似の部分には、同一又は類似の符号を付している。図面は模式的なのものであり、各寸法の比率などは現実のものとは異なることを留意すべきである。具体的な寸法などは、以下の説明を参酌して判断すべきものである。図面相互間においても互いの寸法の関係や比率が異なる部分が含まれていることは勿論である。
【００２０】
［第１実施形態］
（情報表示装置の全体構成）
図１は、情報表示装置１０の概略構成を示す斜視図である。図１に示すように、情報表示装置１０は、複数（ここでは２枚）の情報表示パネル１００と、複数（ここでは２枚）の情報表示パネル１００を駆動する駆動装置２００とを備える。駆動装置２００は、ＣＰＵ、メモリ、プッシュボタンやペン入力デジタイザなどの操作入力手段、バッテリなどを備えている。駆動装置２００は、情報表示パネル１００に所定信号を送信して、所定画像を表示するように情報表示パネル１００を制御する。
【００２１】
情報表示パネル１００は、電子ペーパーなどとして用いることができる。情報表示パネル１００は、少なくとも一方が透明な一対の基板間に配置される表示媒体によって、所定画像を表示する。なお、駆動装置２００は、複数の情報表示パネル１００の各々の表示媒体を駆動することによって、複数の情報表示パネル１００に表示される所定画像を制御する。また、本実施形態では、重ねられる複数の情報表示パネル１００の内、１ページ目に位置する情報表示パネル１００を情報表示パネル１００＃１と示し、２ページ目に位置する情報表示パネル１００を情報表示パネル１００＃２として示す。
【００２２】
本実施形態に係る情報表示装置１０は、複数の情報表示パネル１００と駆動装置２００とが着脱可能に構成されている。具体的に、駆動装置２００は、載置部２１０と、着脱機構２２０とを備える。載置部２１０は、一つ又は複数の情報表示パネル１００を載置できる。着脱機構２２０は、複数の情報表示パネル１００の各々に設けられるコネクタ部１２０を取り付け又は取り外し可能に構成され、複数の情報表示パネル１００と駆動装置２００とを着脱する。すなわち、着脱機構２２０に複数の情報表示パネル１００の各々のコネクタ部１２０が取り付けられることによって、複数の情報表示パネル１００を重ねて綴ることができる。
【００２３】
ここで、図２（ａ）乃至（ｂ）には、図１に示す情報表示装置１０のＡ−Ａ線における断面図が示されている。具体的に、図２（ａ）には、複数の情報表示パネル１００が駆動装置２００に取り付けられた状態の断面図が示されており、図２（ｂ）には、複数の情報表示パネル１００が駆動装置２００から取り外される前の状態の断面図が示されている。
【００２４】
図２（ａ）乃至（ｂ）に示すように、着脱機構２２０は、複数の情報表示パネル１００の各々のコネクタ部１２０を取り付け又は取り外し可能に構成され、当該複数の情報表示パネル１００のすべてと電気的に接続又は切離する。すなわち、情報表示装置１０では、当該複数の情報表示パネル１００と駆動装置２００とが着脱可能に構成されている。なお、本実施形態では、着脱機構２２０が、コネクタ部１２０を圧着又は解放することによって、複数の情報表示パネル１００（図２の例では２枚）が駆動装置２００から着脱可能に構成される。
【００２５】
但し、着脱機構２２０の構成は、これに限定されず、例えば、着脱機構２２０にコネクタ部１２０を所定の挿抜方向に沿って抜き差しする方式が挙げられる。他の例としては、着脱機構２２０とコネクタ部１２０とのいずれか一方が磁石を含んで構成され、他方が磁性体を含んで構成されていてもよい。かかる場合、着脱機構２２０は、磁気吸着力によって、コネクタ部１２０を取り付け又は取り外しすることができる。
【００２６】
（駆動装置の電極と情報表示パネルの電極の構成）
図３には、図１に示す情報表示装置１０のＢ−Ｂ線における断面図が示されている。具体的に、図３には、駆動装置２００に設けられる着脱機構２２０と、情報表示パネル１００＃１乃至＃２の各々に設けられるコネクタ部１２０との断面図が示されている。駆動装置２００に設けられる着脱機構２２０は、所定信号を出力する駆動装置側電極２２１を有する。本実施形態において、所定信号は、所定画像を表示するための画像信号と、複数（ここでは２枚）の情報表示パネル１００の各々の順番を検出するための検出信号と、所定画像を表示すべき情報表示パネルの順番を識別するための識別信号とを含む。
【００２７】
また、本実施形態において、駆動装置側電極２２１は、複数の電極によって構成されており、複数の電極を用いて、画像信号と検出信号と識別信号とを出力する。なお、本実施形態において、検出信号と識別信号は、複数の情報表示パネル１００の各々において、画像信号を所定画像として表示すべきか否かの判定に用いられる信号である。
【００２８】
具体的に、駆動装置側電極２２１は、検出出力電極２２１１ａと、識別出力電極２２１２ａ乃至２２１２ｂと、制御出力電極２２１３ａ乃至２２１３ｃとを有する。
【００２９】
検出出力電極２２１１ａは、１ページ目に位置する情報表示パネル１００＃１に対して、検出信号を出力する。検出出力電極２２１１ａから出力された検出信号は、情報表示パネル１００＃１を介して、全て（ここでは２枚）の情報表示パネル１００に送信される。
【００３０】
識別出力電極２２１２ａ乃至２２１２ｂは、１ページ目に位置する情報表示パネル１００＃１に対して、識別信号を出力する。ここで、駆動装置２００は、識別出力電極２２１２ａ乃至２２１２ｂのいずれか一つから、識別信号を出力することによって、画像信号を所定画像として表示すべき情報表示パネル１００の順番を指定する。例えば、駆動装置２００は、１ページ目に位置する情報表示パネル１００＃１に所定画像を表示させる場合、識別出力電極２２１２ａから識別信号を出力する。一方、駆動装置２００は、２ページ目に位置する情報表示パネル１００＃２に所定画像を表示させる場合、識別出力電極２２１２ｂから識別信号を出力する。このようにして、駆動装置２００は、識別出力電極２２１２ａ又は識別出力電極２２１２ｂのいずれかから識別信号を出力することによって、画像信号を所定画像として表示すべき情報表示パネル１００の順番を指定する。識別出力電極２２１２ａ又は識別出力電極２２１２ｂのいずれかから出力された識別信号は、情報表示パネル１００＃１を介して、全ての情報表示パネル１００に出力される。
【００３１】
制御出力電極２２１３ａ乃至２２１３ｃは、１ページ目に位置する情報表示パネル１００＃１に対して、画像信号と制御信号とを出力する。制御出力電極２２１３ａ乃至２２１３ｃから出力された画像信号と制御信号とは、情報表示パネル１００＃１を介して、全ての情報表示パネル１００に出力される。なお、制御出力電極２２１３ａ乃至２２１３ｃは、これ以外にも、給電用電力なども出力する。
【００３２】
また、図３に示すように、情報表示パネル１００に設けられるコネクタ部１２０は、コネクタ基板１２１と入力電極部１２２と出力電極部１２３を有する。コネクタ基板１２１は、コネクタ表面１２１ａとコネクタ裏面１２１ｂとを有している。
【００３３】
入力電極部１２２は、情報表示パネル１００のコネクタ表面１２１ａ（一方の面）に設けられ、駆動装置２００又は隣接する一方の情報表示パネル１００から所定信号を入力する。出力電極部１２３は、情報表示パネル１００のコネクタ裏面１２１ｂ（他方の面）に設けられ、隣接する他方の情報表示パネル１００に所定信号を出力する。
【００３４】
なお、図３の例では、１ページ目の情報表示パネル１００＃１の入力電極部１２２が、駆動装置２００から所定信号を入力し、出力電極部１２３が、２ページ目の情報表示パネル１００＃２の入力電極部１２２に所定信号を出力する。また、２ページ目の情報表示パネル１００＃２の入力電極部１２２は、隣接する１ページ目の情報表示パネル１００＃１から所定信号を入力する。
【００３５】
また、図３に示すように、入力電極部１２２と出力電極部１２３との各々は、所定の配列間隔を設けて、一方向に並列に配置された複数の電極によって構成されている。なお、本実施形態において、一方向は、情報表示パネル１００の短手方向（図３に示すＹ方向）を示す。また、入力電極部１２２を構成する複数の電極と、出力電極部１２３を構成する複数の電極とは、情報表示パネル１００の平面視において、同じ位置に配置されている。
【００３６】
入力電極部１２２は、検出入力電極１２２１ａ乃至１２２１ｂと、識別入力電極１２２２ａ乃至１２２２ｂと、制御入力電極１２２３ａ乃至１２２３ｃとを有する。
【００３７】
検出入力電極１２２１ａ乃至１２２１ｂは、検出信号を入力する。具体的には、検出入力電極１２２１ａ乃至１２２１ｂの内のいずれか一つの電極が、検出信号を入力する。
【００３８】
識別入力電極１２２２ａ乃至１２２２ｂは、識別信号を入力する。具体的には、識別入力電極１２２２ａ乃至１２２２ｂの内のいずれか一つの電極が、識別信号を入力する。
【００３９】
制御入力電極１２２３ａ乃至１２２３ｃは、画像信号と制御信号とを入力する。なお、制御入力電極１２２３ａ乃至１２２３ｃは、電源用電力なども入力することができる。
【００４０】
一方、出力電極部１２３は、検出出力電極１２３１ａ乃至１２３１ｂと、識別出力電極１２３２ａ乃至１２３２ｂと、制御出力電極１２３３ａ乃至１２３３ｃとを有する。
【００４１】
検出出力電極１２３１ａ乃至１２３１ｂは、入力電極部１２２に入力された検出信号を出力する。具体的には、検出出力電極１２３１ａ乃至１２３１ｂの内のいずれか一つが、検出信号を出力する。識別出力電極１２３２ａ乃至１２３２ｂは、識別信号を出力する。具体的には、識別出力電極１２３２ａ乃至１２３２ｂの内のいずれか一つの電極が、識別信号を出力する。制御出力電極１２３３ａ乃至１２３３ｃは、画像信号と制御信号とを出力する。
【００４２】
また、本実施形態では、入力電極部１２２の検出入力電極１２２１ａと、出力電極部１２３の検出出力電極１２３１ｂとが電気的に接続されており、検出入力電極１２２１ａから入力された検出信号は、検出出力電極１２３１ｂから出力される。つまり、検出信号が入力される入力電極部１２２を構成する電極（例えば、検出入力電極１２２１ａ）の位置と、検出信号が出力される出力電極部１２３を構成する電極（例えば、検出出力電極１２３１ｂ）の位置は、一方向における位置が複数の情報表示パネルの各々の順番に応じて異なる。
【００４３】
このような構成によって、重ねて綴られる複数の情報表示パネル１００の各々の入力電極部１２２に入力される検出信号は、複数の情報表示パネル１００の各々の順番に応じて異なるように入力される。
【００４４】
なお、本実施形態では、情報表示装置１０が、情報表示パネル１００＃１乃至＃２との２つを有している場合を例に挙げているため、情報表示パネル１００が、検出入力電極１２２１ａ乃至１２２１ｂとの２つの電極と、検出出力電極１２３１ａ乃至１２３１ｂとの２つの電極とを有している場合を例に挙げている。しかし、情報表示装置１０が、更に多くの情報表示パネル１００（例えば、３ページ目に位置する情報表示パネル１００＃３など）を有している場合には、情報表示パネル１００が、更に多くの検出入力電極（例えば、検出入力電極１２２１ｃ）と、更に多くの検出出力電極（例えば、検出出力電極１２３１ｃ）とを有していてもよい。
【００４５】
識別入力電極１２２２ａ乃至１２２２ｂと、識別出力電極１２３２ａ乃至１２３２ｂとは、それぞれが互いに電気的に接続されている。具体的に、識別入力電極１２２２ａと識別出力電極１２３２ａとが電気的に接続され、識別入力電極１２２２ｂと識別出力電極１２３２ｂとが電気的に接続されている。このような構成によって、識別入力電極１２２２ａ又は識別入力電極１２２２ｂから入力された識別信号は、識別出力電極１２３２ａ又は識別出力電極１２３２ｂから、電極の位置を変更すること無く出力される。
【００４６】
また、本実施形態において、識別信号が入力される入力電極部１２２を構成する電極の位置は、所定画像を表示すべき情報表示パネルの順番を識別する。具体的に、識別入力電極１２２２ａに識別信号が入力される場合には、１ページ目の情報表示パネル１００＃１が、所定画像を表示すべき情報表示パネル１００であることを示し、識別入力電極１２２２ｂに識別信号が入力される場合には、２ページ目の情報表示パネル１００＃２が、所定画像を表示すべき情報表示パネル１００であることを示す。
【００４７】
なお、情報表示装置１０が、更に多くの情報表示パネル１００（例えば、３ページ目に位置する情報表示パネル１００＃３など）を有している場合には、情報表示パネル１００が、更に多くの識別入力電極（例えば、識別入力電極１２２２ｃ）と、更に多くの識別出力電極（例えば、検出出力電極１２３２ｃ）とを有してもよい。
【００４８】
制御入力電極１２２３ａ乃至１２２３ｃと制御出力電極１２３３ａ乃至１２３３ｃとは、それぞれが互いに電気的に接続されている。具体的に、制御入力電極１２２３ａと制御出力電極１２３３ａとが電気的に接続され、制御入力電極１２２３ｂと制御出力電極１２３３ｂとが電気的に接続され、制御入力電極１２２３ｃと制御出力電極１２３３ｃとが電気的に接続される。このような構成によって、制御入力電極１２２３ａ乃至１２２３ｃから入力された画像信号と制御信号とは、制御出力電極１２３３ａ乃至１２３３ｃから、電極の位置を変更することなく出力される。
【００４９】
（情報表示パネルの構成）
次に、情報表示パネル１００の構成について図面を参照して説明する。図４には、情報表示パネル１００の斜視図が示されている。
【００５０】
情報表示パネル１００は、表示領域１１１を有する本体パネル部１１０と、コネクタ部１２０とを備える。本体パネル部１１０は、矩形の薄い板状に形成されている。ここで言う矩形は、ノート用紙などで一般的に知られている形状であり、角部が丸くカットされていたり、角部が少し直線的にカットされていたりすることを含む。矩形に形成される本体パネル部１１０は、長辺方向における縁部１１０ａ乃至１１０ｂと、短辺方向における縁部１１０ｃ乃至１１０ｄとを有する。本体パネル部１１０は、所定情報が表示される表示領域１１１を有する。なお、表示領域１１１は、矩形であることが好ましいが、外形形状は、矩形に限定されない。
【００５１】
本実施形態において、コネクタ部１２０は、本体パネル部１１０の縁部１１０ａから本体パネル部１１０の外側方向に向けて突出して形成されている。なお、図４に示す本実施形態において、本体パネル部１１０の外側方向とは、本体パネル部１１０の長辺方向（図４に示すＸ方向）であり、かつ、表示領域１１１が形成される内側とは反対の方向を示す。
【００５２】
ここでは、矩形の短辺部分にコネクタ部１２０を形成しているが、矩形の長辺部分にコネクタ部１２０を形成してもよい。
【００５３】
本体パネル部１１０の縁部１１０ａに沿ったコネクタ部１２０の幅Ｗ１は、本体パネル部１１０の縁部１１０ａの幅Ｗ２よりも狭くなるように形成されている。なお、本実施形態において、本体パネル部１１０の縁部１１０ａに沿った方向は、短手方向（図４に示すＹ方向）である。なお、外側方向におけるコネクタ部１２０の突出長Ｌは、５ｍｍ〜２０ｍｍであることが好ましい。
【００５４】
コネクタ部は本体パネル部１１０の一辺に複数配置してもよい。また、コネクタ部とは別に、本体パネル部１１０の支持の目的のための突出部を、着脱機構２２０に取り付けられるようにして設けてもよい。なお、本実施形態では、コネクタ部１２０は、本体パネル部１１０の長辺方向の縁部１１０ａから突出して形成されている場合を例に挙げて説明するが、長辺方向の縁部１１０ｂ、もしくは、短辺方向の縁部１１０ｃ又は縁部１１０ｄから突出して形成されていてもよい。すなわち、コネクタ部１２０は、本体パネル部１１０の縁部１１０ａ乃至１１０ｄのいずれか一つから突出して形成されていればよい。
【００５５】
また、本実施形態において、コネクタ部１２０は、可撓性を有する可撓部材で構成される。具体的には、コネクタ基板１２１と入力電極部１２２と出力電極部１２３とは、可撓性を有する可撓部材で構成されることが好ましい。このような構成とすることで、複数の情報表示パネル１００の各々がめくりやすくなるので、利用者が、複数の情報表示パネル１００の各々を視認しやすくなる。
【００５６】
なお、コネクタ基板１２１の部材としては、ポリエチレンテレフタレート（ＰＥＴ）、ポリエチレンナフタレート（ＰＥＮ）、ポリエーテルサルフォン（ＰＥＳ）、ポリエチレン、ポリカーボネート、ポリイミド、アクリル樹脂などのプラスチック材料などが挙げられる。
【００５７】
入力電極部１２２と出力電極部１２３との部材としては、電気抵抗が小さく、可撓性のある導電性金属電極が好ましい。例えば、金、銀、銅、アルミニウム、ニッケル、クロム等の金属や、これらの金属を主成分とする合金が挙げられる。この電極の厚みは、導電性が確保でき可撓性に支障がなければ良く、５μｍ〜７２μｍが好ましく、９μｍ〜３５μｍがより好ましい。５ｍより薄いと、着脱機構２２０に圧着されて電気的に接続する際に、擦れて損傷してしまい、電気的接続に支障を来たす不都合となる場合がある。一方、７２μｍより厚いと、電極形成に時間が掛かりコスト高となるおそれがある。また、電気的接続部の電極部分にメッキ等で導電性材料を形成して電極厚さを厚くしてもよい。
【００５８】
（表示領域の構成）
次に、情報表示パネル１００の表示領域１１１の構成について更に説明する。図５（ａ）及び（ｂ）は、情報表示パネル１００の表示領域１１１の断面図である。具体的に、図５（ａ）は、表示領域１１１において、白色表示媒体３９０Ｗが情報表示面側（図中の「目」のマークを参照）に位置している状態を示し、図５（ｂ）は、表示領域１１１において、黒色表示媒体３９０Ｂが情報表示面側に位置している状態を示す。
【００５９】
なお、図５（ａ）乃至（ｂ）に示す例では、少なくとも光学的反射率および帯電性を有する粒子を含んだ粒子群として構成した光学的反射率および帯電特性が異なる少なくとも２種類の表示媒体として、白色表示媒体３９０Ｗと黒色表示媒体３９０Ｂとが示されている。
【００６０】
白色表示媒体３９０Ｗは、負帯電性白色粒子３９０Ｗａを含んだ粒子群として構成されている。黒色表示媒体３９０Ｂは、正帯電性黒色粒子３９０Ｂａを含んだ粒子群として構成されている。本実施形態において、黒色表示媒体３９０Ｂと白色表示媒体３９０Ｗとはそれぞれ、表示用電極に印加される電圧によって駆動する表示媒体を構成する。
【００６１】
図５（ａ）及び（ｂ）に示すように、情報表示パネル１００では、表示領域１１１において、表面基板３２０ａ、裏面基板３２０ｂ、表面電極３４０ａ、裏面電極３４０ｂ及び隔壁３５０を有する。
【００６２】
一対の表面基板３２０ａ及び裏面基板３２０ｂのうち、表面基板３２０ａは、情報表示面側の表示領域１１１に形成される。表面基板３２０ａは、透明な基板であり、表示領域１１１を形成する。表面基板３２０ａは、可視光の透過率が高く、かつ耐熱性のよいものが好ましい。裏面基板３２０ｂは、表面基板３２０ａと対向する。なお、裏面基板３２０ｂは透明であってもよいし、透明でなくてよい。本実施形態において、一対の表面基板３２０ａ及び裏面基板３２０ｂは、少なくとも一方の基板が透明な一対の基板を構成する。
【００６３】
表面電極３４０ａ及び裏面電極３４０ｂは、表面基板３２０ａ及び裏面基板３２０ｂに対応して設けられる。具体的には、表面電極３４０ａ及び裏面電極３４０ｂは、表面基板３２０ａ及び裏面基板３２０ｂよりも内側にそれぞれ設けられる。本実施形態において、表面電極３４０ａ及び裏面電極３４０ｂは、表示用電極を構成しており、後述するＩＣドライバ１１２ａ乃至１１２ｅに連結されている。また、本実施形態において、表面電極３４０ａと裏面電極３４０ｂとの間隔（ギャップ）Ｈは、５０μｍであることとするが、これに限定されず適宜最適な値を決定してもよい。
【００６４】
表面電極３４０ａは、表面基板３２０ａ側に形成される透明な電極である。表面電極３４０ａは、表面基板３２０ａ上に形成されている。裏面電極３４０ｂは、裏面基板３２０ｂ側に形成される電極である。裏面電極３４０ｂは裏面基板３２０ｂ上に形成されている。図５に示す実施形態で、表面電極３４０ａ及び裏面電極３４０ｂは、細長い帯状の電極であり、互いに対向して配設されているとともに、互いに直交するように配設されている。つまり、対向した電極が重なり合った部分である電極対がマトリックス状に配設されており、情報表示パネル１００では、パッシブマトリックス駆動方式が用いられる。
【００６５】
白色表示媒体３９０Ｗ及び黒色表示媒体３９０Ｂは、表面電極３４０ａと裏面電極３４０ｂとの間に配置、より好ましくは封入される。例えば、負帯電性白色粒子を含んだ粒子群である白色表示媒体３９０Ｗ及び正帯電性黒色粒子を含んだ粒子群である黒色表示媒体３９０Ｂは、表面電極３４０ａ及び裏面電極３４０ｂを介して電界が与えられることによって何れかの電極に向けて駆動される。つまり、白色表示媒体３９０Ｗ及び黒色表示媒体３９０Ｂは、それぞれ異なる帯電性を有し、電気的に駆動可能である。具体的には、表面電極３４０ａと裏面電極３４０ｂとに電圧を印加することによって、白色表示媒体３９０Ｗ及び黒色表示媒体３９０Ｂは、何れかの電極に向けて駆動される。なお、帯電性を有する白色表示媒体３９０Ｗ及び黒色表示媒体３９０Ｂを構成する帯電性粒子は、その主成分となる樹脂に、必要に応じて、荷電制御剤、着色剤、無機添加剤等を含ませてその帯電性や光学的反射率を調整することができる。
【００６６】
隔壁３５０は、表面基板３２０ａと裏面基板３２０ｂとの間に形成される。隔壁３５０は、白色表示媒体３９０Ｗ及び黒色表示媒体３９０Ｂが配置される空間Ｓを仕切る。隔壁３５０は、表面基板３２０ａと裏面基板３２０ｂとの間の空間Ｓを確保するために設けられる。空間Ｓは、気体（例えば、空気）で満たされていてもよいし、真空状態あるいは減圧状態にされていてもよい。なお、真空状態や減圧状態である場合には、空間Ｓは、密閉空間となる。隔壁３５０は、表面基板３２０ａ側からの視点において格子状に形成される。格子状とは、所定の空間が形成されるように、周期的に配置されていればよい。空間Ｓは、表示領域１１１に表示される画像の１ドット（１画素）を形成する。なお、本実施形態において、空間Ｓには、気体が封入されているが、空間Ｓは、真空であっても良い。
【００６７】
（情報表示装置のハードウエア構成）
図６は、本実施形態に係る情報表示装置１０のハードウエア構成を説明するハードウエア構成図である。情報表示装置１０は、情報表示パネル１００の駆動に関連するハードウエアとして、ドライバＩＣ１１２ａ乃至１１２ｅと、コネクタ部１２０と、制御回路１５０と、駆動回路２１１と、着脱機構２２０とを備える。なお、情報表示装置１０は、電源部などの他の機能も備えていてもよいが、ここでは説明を省略する。
【００６８】
ドライバＩＣ１１２ａ乃至１１２ｅは、制御回路１５０の制御に従って、表示領域１１１における白色表示媒体３９０Ｗ及び黒色表示媒体３９０Ｂを駆動する。具体的に、ドライバＩＣ１１２ａ乃至１１２ｅは、信号線を介して、コネクタ部１２０と制御回路１５０とに連結している。ドライバＩＣ１１２ａ乃至１１２ｅは、制御回路１５０から画像信号を所定画像として表示すべき旨の指示があると、駆動回路２１１から送信される画像信号に基づいて、白色表示媒体３９０Ｗ及び黒色表示媒体３９０Ｂを駆動して、表示領域１１１に所定情報を表示する。
【００６９】
制御回路１５０は、コネクタ部１２０の入力電極部１２２に入力される所定信号に基づいて、表示領域１１１に表示する所定画像を制御する。
【００７０】
具体的に、入力電極部１２２に入力される検出信号と識別信号とに基づいて、画像信号を所定画像として表示すべきか否かを判定し、表示すべきと判定した場合には、ドライバＩＣ１１２ａ乃至１１２ｅに所定画像を表示するように指示する。なお、制御回路１５０の詳細な構成は、後述する。
【００７１】
駆動回路２１１は、ＣＰＵ及びメモリなどによって構成されている。駆動回路２１１は、情報表示パネル１００を制御する。具体的に、駆動回路２１１は、着脱機構２２０及びコネクタ部１２０を介して、情報表示パネル１００に所定情報を表示するための画像信号と、検出信号と識別信号とを送信する。
【００７２】
なお、情報表示パネル１００は、表示領域１１１に接触されたタッチペンなどの位置を検出する位置検出部１１５を有していても良い。この場合、位置検出部１１５が、タッチペンによって接触された位置を駆動回路２１１に通知し、駆動回路２１１は、タッチペンによって接触された位置に応じた所定画像（所定情報）を情報表示パネル１００に表示させる。
【００７３】
（制御回路の構成）
次に、図７を参照して制御回路１５０の構成について説明する。図７には、制御回路１５０の構成と、制御回路１５０と入力電極部１２２及び出力電極部１２３との接続関係を示すブロック図が示されている。図７に示すように、制御回路１５０は、入力部１５１と、出力部１５２と、表示制御部１５３とを備える。
【００７４】
入力部１５１は、入力電極部１２２と接続する。具体的に、検出入力電極１２２１ａ乃至１２２１ｂと、識別入力電極１２２２ａ乃至１２２２ｂと、制御入力電極１２２３ａ乃至１２２３ｃと接続し、これらから入力される検出信号と識別信号と画像信号とを表示制御部１５３に出力する。
【００７５】
出力部１５２は、ＩＣドライバ１１２ａ乃至１１２ｅと接続する。出力部１５２は、表示制御部１５３から出力される信号を、ＩＣドライバ１１２ａ乃至１１２ｅに出力する。
【００７６】
表示制御部１５３は、情報表示パネル１００に表示される所定画像を制御する。また、表示制御部１５３は、入力電極部１２２に入力される検出信号と識別信号とに基づいて、画像信号を所定画像として表示すべきか否かを判定する。本実施形態では、表示制御部１５３が、検出信号が入力される入力電極部１２２を構成する電極の位置と、識別信号が入力される入力電極部１２２を構成する電極の位置とに基づいて、画像信号を所定画像として表示すべきか否かを判定する。
【００７７】
具体的に、表示制御部１５３は、入力部１５１を介して、検出入力電極１２２１ａ乃至１２２１ｂと、識別入力電極１２２２ａ乃至１２２２ｂとから、検出信号と識別信号とを入力する。また、表示制御部１５３は、複数の検出入力電極１２２１ａ乃至１２２１ｂにおける検出信号が入力された電極の位置を示す番号と、複数の識別入力電極１２２２ａ乃至１２２２ｂにおける識別信号が入力された電極の位置を示す番号とが一致するか否かを判定する。
【００７８】
例えば、表示制御部１５３は、複数の検出入力電極１２２１ａ乃至１２２１ｂのそれぞれに電極の位置を示す検出電極番号＃１乃至＃２を割り当てるとともに、複数の識別入力電極１２２２ａ乃至１２２２ｂのそれぞれに電極の位置を示す識別電極番号＃１乃至＃２を割り当てる。表示制御部１５３は、検出信号が入力された検出電極番号＃１又は＃２と、識別信号が入力された識別電極番号＃１又は＃２とが一致するか否かを判定する。
【００７９】
表示制御部１５３は、検出信号が入力された検出電極番号＃１又は＃２と、識別信号が入力された識別電極番号＃１又は＃２とが一致すると判定した場合、画像信号を所定画像として表示する。具体的に、表示制御部１５３は、画像信号を所定画像として表示領域１１１に表示するように、出力部１５２を介して、ＩＣドライバ１１２ａ乃至１１２ｅに指示する。
【００８０】
一方、表示制御部１５３は、検出信号が入力された検出電極番号＃１又は＃２と、識別信号が入力された識別電極番号＃１又は＃２とが一致しないと判定した場合、画像信号を所定画像として表示しない。
【００８１】
（情報表示パネルの処理動作）
次に図８を参照して、複数の情報表示パネル１００の各々の処理動作について説明する。図８は、情報表示パネル１００の処理を示すフローチャートである。
【００８２】
ステップＳ１１０において、情報表示パネル１００の入力電極部１２２には、駆動装置２００から、画像信号と検出信号と識別信号とが入力される。
【００８３】
具体的に、入力電極部１２２では、検出入力電極１２２１ａ又は検出入力電極１２２１ｂが、検出信号を入力し、識別入力電極１２２２ａ又は識別入力電極１２２２ｂが、識別信号を入力し、制御入力電極１２２３ａ乃至１２２３ｃが、画像信号を入力する。
【００８４】
ステップＳ１２０において、制御回路１５０では、表示制御部１５３が、入力部１５１を介して、検出信号と識別信号とを入力するとともに、検出信号が入力される電極の位置と、識別信号が入力される電極の位置とに基づいて、画像信号を所定画像として表示すべきか否かを判定する。具体的に、表示制御部１５３は、複数の検出入力電極１２２１ａ乃至１２２１ｂのそれぞれに電極の位置を示す検出電極番号＃１乃至＃２を予め割り当てるとともに、複数の識別入力電極１２２２ａ乃至１２２２ｂのそれぞれに電極の位置を示す識別電極番号＃１乃至＃２を予め割り当てる。表示制御部１５３は、検出信号が入力された検出電極番号＃１又は＃２と、識別信号が入力された識別電極番号＃１又は＃２とが一致するか否かを判定する。
【００８５】
ステップＳ１３０において、表示制御部１５３は、検出信号が入力された検出電極番号＃１又は＃２と、識別信号が入力された識別電極番号＃１又は＃２とが一致すると判定した場合、画像信号を所定画像として表示する。
【００８６】
一方、ステップＳ１２０において、表示制御部１５３は、検出信号が入力された検出電極番号＃１又は＃２と、識別信号が入力された識別電極番号＃１又は＃２とが一致しないと判定した場合、画像信号を所定画像として表示しない。
【００８７】
また、入力電極部１２２の検出入力電極１２２１ａと、出力電極部１２３の検出出力電極１２３１ｂとは、電気的に接続されているため、出力電極部１２３側に位置する情報表示パネル１００＃２の識別入力電極１２２１ｂに検出信号が入力される。つまり、情報表示装置１０では、情報表示パネル１００＃１の識別入力電極１２２１ａから、情報表示パネル１００＃２の識別入力電極１２２１ｂに、検出信号が入力される電極の位置が、一つ移動される。
【００８８】
ここで、２ページ目に位置する情報表示パネル１００＃２に所定画像を表示させる場合を例に挙げて、以下に情報表示装置１０の処理動作を説明する。
【００８９】
駆動装置２００から送信される識別信号は、情報表示パネル１００＃１の識別入力電極１２２２ｂ（識別電極番号＃２）に入力される（ステップＳ１１０）。ここで、複数の情報表示パネル１００＃１乃至＃２の各々では、識別入力電極１２２２ｂと識別出力電極１２３２ｂとが電気的に接続されている。よって、情報表示パネル１００＃１の識別入力電極１２２２ｂ（識別電極番号＃２）に入力された識別信号は、識別出力電極１２３２ｂを介して、ほぼ同時に複数の情報表示パネル１００＃２の識別入力電極１２２２ｂ（識別電極番号＃２）に入力される（ステップＳ１１０）。
【００９０】
また、駆動装置２００から送信される検出信号は、情報表示パネル１００＃１の検出入力電極１２２１ａ（検出電極番号＃１）に入力される（ステップＳ１１０）。ここで、複数の情報表示パネル１００＃１乃至＃２の各々では、検出入力電極１２２１ａと、検出出力電極１２３１ｂとが電気的に接続されている。よって、情報表示パネル１００＃１の検出入力電極１２２１ａ（検出電極番号＃１）に入力された検出信号は、検出出力電極１２３１ｂを介して、ほぼ同時に情報表示パネル１００＃２の検出入力電極１２２１ｂ（検出電極番号＃２）に入力される（ステップＳ１１０）。
【００９１】
２ページ目に位置する情報表示パネル１００＃２の表示制御部１５３は、検出信号が入力された検出入力電極１２２１ｂの位置を示す番号（検出電極番号＃２）と、識別信号が入力された識別入力電極１２２２ｂの位置を示す番号（識別電極番号＃２）とが、一致するか否かを判定する（ステップＳ１２０）。この場合、一致するため、情報表示パネル１００＃２の表示制御部１５３は、画像信号を所定画像として表示する（ステップＳ１３０）。
【００９２】
一方、１ページ目に位置する情報表示パネル１００＃１の表示制御部１５３は、検出信号が入力された検出入力電極１２２１ａの位置を示す番号（検出電極番号＃１）と、識別信号が入力された識別入力電極１２２２ｂの位置を示す番号（識別電極番号＃２）とが、一致するか否かを判定する（ステップＳ１２０）。この場合、一致しないため、情報表示パネル１００＃１の表示制御部１５３は、画像信号を所定画像として表示しない。
【００９３】
なお、２ページ目以降の情報表示パネル１００の検出入力電極は電気的にどこにも接続されない状態になる場合があるので、その場合に特定の信号が入力されたと同等の状態になるように、具体的には所定の抵抗値をもって電源にプルアップまたはプルダウンすべきである。
【００９４】
（作用・効果）
本実施形態に係る情報表示装置１０では、駆動装置２００と複数の情報表示パネル１００とを備える。情報表示装置１０では、駆動装置２００が、複数の情報表示パネル１００を重ねて綴るとともに、複数の情報表示パネル１００を着脱する着脱機構２２０を備える。このような情報表示装置１０によれば、複数の情報表示パネル１００の各々を取り付け又は取り外しすることが可能になる。
【００９５】
情報表示装置１０では、複数の情報表示パネル１００の各々が、所定信号を入力する入力電極部１２２と、所定信号を出力する出力電極部１２３とを備える。所定信号は、画像信号と検出信号と識別信号とを含む。
【００９６】
複数の情報表示パネル１００の各々は、検出入力電極１２２１ａと検出出力電極１２３１ｂとが電気的に接続されている。よって、複数の情報表示パネル１００の各々では、検出信号の入力される検出入力電極１２２１ａ乃至１２２１ｂの電極の位置が、複数の情報表示パネル１００の各々の順番に応じて異なるように入力される。
【００９７】
複数の情報表示パネル１００の各々において、制御回路１５０は、入力電極部１２２から入力された検出信号と識別信号とに基づいて、画像信号を所定画像として表示すべきか否かを判定する。具体的に、制御回路１５０において、表示制御部１５３は、検出信号が入力された検出入力電極１２２１ａ又は１２２１ｂの位置を示す検出電極番号＃１又は＃２と、識別信号が入力された識別入力電極１２２２ａ又は１２２２ａの位置を示す識別電極番号＃１又は＃２とが一致するか否かを判定する。表示制御部１５３は、それぞれの電極番号＃１又は＃２が一致すると判定した場合、画像信号を所定画像として表示する。
【００９８】
このように、情報表示装置１０では、情報表示パネル１００が、検出信号の入力された電極の位置を示す番号と、識別信号の入力された電極の位置を示す番号とが一致するか否かに応じて、画像信号を所定画像として表示するので、駆動装置２００が、表示すべき情報表示パネル１００のみに所定画像を表示させることができる。
【００９９】
かかる情報表示装置１０によれば、複数の情報表示パネル１００の各々にページの順番を認識させる処理を実行しなくとも、所望の情報表示パネル１００に所定情報を表示させることが可能になる。つまり、かかる情報表示装置１０によれば、複数の情報表示パネル１００のうち、所望の情報表示パネル１００に所定情報を表示させる際の手間を削減し、複数の情報表示パネル１００を閲覧する上での利便性を向上させることが可能になる。
【０１００】
［第２実施形態］
次に、本発明の第２実施形態について説明する。上述した第１実施形態に係る情報表示装置１０では、複数の情報表示パネル１００の各々が、検出信号と識別信号とが入力される電極の位置に応じて、画像信号を所定画像として表示すべきか否かを判定するように構成されていた。
【０１０１】
本実施形態に係る情報表示装置１０では、複数の情報表示パネル１００の各々が、検出信号の入力波形と、識別信号の入力波形とに基づいて、画像信号を所定画像として表示すべきか否かを判定するように構成されている。以下に、本実施形態に係る情報表示装置１０の構成について、上述した第１実施形態との相違点に着目して説明する。
【０１０２】
（駆動装置の電極と情報表示パネルの電極の構成）
図９には、本実施形態に係る情報表示装置１０において、駆動装置２００の着脱機構２２０と、複数の情報表示パネル１００のコネクタ部１２０との短手方向（Ｙ方向）における断面図が示されている。
【０１０３】
図９に示すように、本実施形態に係る情報表示装置１０では、着脱機構２２０の駆動装置側電極２２１が、検出出力電極２２１１と、識別出力電極２２１２と、制御出力電極２２１３ａ乃至２２１３ｅとを備える。
【０１０４】
検出出力電極２２１１は、検出信号を出力する。ここで、本実施形態に係る検出信号は、電圧値によって“Ｈｉｇｈ”又は“Ｌｏｗ”の波形を示す信号である。検出出力電極２２１１ａから出力された検出信号は、複数の情報表示パネル１００の各々によって、所定の変換処理が実行されながら、全ての情報表示パネル１００に出力される。具体的に、検出信号は、複数の情報表示パネル１００の各々によって、“Ｌｏｗ”から“Ｈｉｇｈ”に波形の遷移するタイミングが所定期間だけ遅延させる処理が繰り返し実行されながら、全ての情報表示パネル１００に出力される。
【０１０５】
識別出力電極２２１２は、識別信号を出力する。ここで、本実施形態に係る識別信号には、電圧値によって“Ｈｉｇｈ”又は“Ｌｏｗ”の波形を示す信号である。駆動装置２００は、識別出力電極２２１２から、所定のタイミングで“Ｈｉｇｈ”を示す識別信号を出力することによって、画像信号を所定画像として表示すべき情報表示パネル１００の順番を指定する。つまり、情報表示パネル１００の入力電極部１２２に入力される識別信号の入力波形は、所定画像を表示すべき情報表示パネル１００の順番を識別する。
【０１０６】
例えば、駆動装置２００は、１ページ目に位置する情報表示パネル１００＃１に所定画像を表示させる場合、情報表示パネル１００＃１に入力される検出信号の波形がＬｏｗ”から“Ｈｉｇｈ”に遷移するタイミングに併せて、Ｌｏｗ”から“Ｈｉｇｈ”に遷移する識別信号を識別出力電極２２１２から出力する。一方、駆動装置２００は、２ページ目に位置する情報表示パネル１００＃２に所定画像を表示させる場合、情報表示パネル１００＃２に入力される検出信号の波形がＬｏｗ”から“Ｈｉｇｈ”に遷移するタイミングに併せて、Ｌｏｗ”から“Ｈｉｇｈ”に遷移する識別信号を識別出力電極２２１２から出力する。このようにして、駆動装置２００は、所定のタイミングで“Ｈｉｇｈ”に遷移する識別信号を出力することによって、画像信号を所定画像として表示すべき情報表示パネル１００の順番を指定する。なお、識別出力電極２２１２から出力された識別信号は、情報表示パネル１００＃１を介して、全ての情報表示パネル１００に出力される。
【０１０７】
制御出力電極２２１３ａ乃至２２１３ｅは、画像信号と制御信号とを出力する。ここで、本実施形態に係る制御信号には、“Ｈｉｇｈ”又は“Ｌｏｗ”の波形が周期的に遷移する基準クロック信号が含まれる。
【０１０８】
本実施形態に係る情報表示パネル１００では、入力電極部１２２が、検出入力電極１２２１と、識別入力電極１２２２と、制御入力電極１２２３ａ乃至１２２３ｅとを有する。
【０１０９】
検出入力電極１２２１は、検出信号を入力する。識別入力電極１２２２は、識別信号を入力する。制御入力電極１２２３ａ乃至１２２３ｅは、画像信号と基準クロック信号とを入力する。
【０１１０】
出力電極部１２３は、検出出力電極１２３１と、識別出力電極１２３２と、制御出力電極１２３３ａ乃至１２３３ｅとを有する。
【０１１１】
検出出力電極１２３１は、後述する制御回路１５０において、所定期間だけ遅延された検出信号を出力する。識別出力電極１２３２は、識別信号を出力する。制御出力電極１２３３ａ乃至１２３３ｃは、画像信号と基準クロック信号とを出力する。
【０１１２】
また、図９に示すように、識別入力電極１２２２と、識別出力電極１２３２とは、電気的に接続されている。このような構成によって、識別入力電極１２２２から入力された識別信号は、識別出力電極１２３２から直接出力される。
【０１１３】
制御入力電極１２２３ａ乃至１２２３ｅと制御出力電極１２３３ａ乃至１２３３ｅとは、それぞれが互いに電気的に接続されている。このような構成によって、制御入力電極１２２３ａ乃至１２２３ｃから入力された画像信号と基準クロック信号とは、制御出力電極１２３３ａ乃至１２３３ｅから直接出力される。
【０１１４】
（制御回路の構成）
次に、図１０を参照して本実施形態に係る制御回路１５０の構成について説明する。図１０には、制御回路１５０の構成と、入力電極部１２２及び出力電極部１２３と制御回路１５０との接続関係を示すブロック図が示されている。
【０１１５】
図１０に示すように、制御回路１５０は、入力部１５１と、出力部１５２と、表示制御部１５３と、出力制御部１５４を備える。
【０１１６】
入力部１５１は、入力電極部１２２と接続する。具体的に、入力部１５１は、検出入力電極１２２１と、識別入力電極１２２２と、制御入力電極１２２３ａ乃至１２２３ｅと接続し、検出信号と識別信号と画像信号とを入力する。
【０１１７】
出力部１５２は、検出出力電極１２３１とＩＣドライバ１１２ａ乃至１１２ｅと接続する。出力部１５２は、出力制御部１５４から出力される検出信号を、検出出力電極１２３１に出力する。また、出力部１５２は、表示制御部１５３から出力される信号を、ＩＣドライバ１１２ａ乃至１１２ｅに出力する。
【０１１８】
表示制御部１５３は、検出信号の入力波形と、識別信号の入力波形とに基づいて、画像信号を所定画像として表示すべきか否かを判定する。
【０１１９】
具体的に、表示制御部１５３は、入力部１５１を介して、検出入力電極１２２１と、識別入力電極１２２２と、制御出力電極１２２３ａ乃至１２２３ｅとから、検出信号と識別信号とを入力する。
【０１２０】
表示制御部１５３は、検出入力電極１２２１における検出信号の入力波形が“Ｌｏｗ”から“Ｈｉｇｈ”に遷移するタイミングと、識別入力電極１２２２における識別信号の入力波形が“Ｌｏｗ”から“Ｈｉｇｈ”に遷移するタイミングとが、一致するか否かを判定する。
【０１２１】
表示制御部１５３は、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングとが一致すると判定した場合、画像信号を所定画像として表示する。具体的に、表示制御部１５３は、画像信号を所定画像として表示領域１１１に表示するように、出力部１５２を介して、ＩＣドライバ１１２ａ乃至１１２ｅに指示する。
【０１２２】
一方、表示制御部１５３は、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングとが一致しないと判定した場合、画像信号を所定画像として表示しない。
【０１２３】
出力制御部１５４は、入力電極部１２２に入力された検出信号の波形を、所定期間だけ遅延させて、遅延させて出力電極部１２３から出力する。具体的に、出力制御部１５４は、入力部１５１に入力された基準クロック信号を入力する。出力制御部１５４は、Ｄ型フリップフロップ回路を有しており、基準クロック信号に基づいて、検出信号の入力波形が“Ｌｏｗ”から“Ｈｉｇｈ”に遷移するタイミングを１クロック（１周期）だけ遅延させる。また、出力制御部１５４は、出力部１５２を介して、遅延させた検出信号を検出出力電極１２３１から出力する。
【０１２４】
このようにして、複数の情報表示パネル１００の各々では、検出信号が出力電極部１２３から出力される出力タイミングが、入力電極部１２２に入力された検出信号の入力タイミングよりも所定期間だけ遅延される。なお、本実施形態では、遅延される所定期間を１クロックとするが、これに限定されず、適宜最適な期間を設定することが好ましい。
【０１２５】
また、本実施形態に係る情報表示装置１０では、複数の情報表示パネル１００の各々において、検出信号を遅延させる処理が実行されるため、複数の情報表示パネル１００の各々の入力電極部１２２に入力される検出信号の入力波形は、複数の情報表示パネル１００の各々の順番に応じて異なるように入力される。
【０１２６】
（情報表示パネルの処理動作）
次に図１１を参照して、本実施形態に係る情報表示パネル１００の処理動作について説明する。図１１は、情報表示パネル１００の処理を示すフローチャートである。
【０１２７】
ステップＳ２１０において、情報表示パネル１００の入力電極部１２２には、駆動装置２００から、基準クロック信号と画像信号と検出信号と識別信号とが入力される。
【０１２８】
具体的に、入力電極部１２２において、検出入力電極１２２１に検出信号が入力され、識別入力電極１２２２に識別信号が入力され、制御入力電極１２２３ａ乃至１２２３ｅに画像信号及び基準クロック信号が入力される。
【０１２９】
ステップＳ２２０において、制御回路１５０では、表示制御部１５３が、検出信号の入力波形と、識別信号の入力波形とに基づいて、画像信号を所定画像として表示すべきか否かを判定する。具体的に、表示制御部１５３は、入力部１５１を介して、検出入力電極１２２１と、識別入力電極１２２２とから、検出信号と識別信号とを入力する。
【０１３０】
表示制御部１５３は、検出入力電極１２２１における検出信号の入力波形が“Ｌｏｗ”から“Ｈｉｇｈ”に遷移するタイミングと、識別入力電極１２２２における識別信号の入力波形が“Ｌｏｗ”から“Ｈｉｇｈ”に遷移するタイミングとが、一致するか否かを判定する。
【０１３１】
ステップＳ２３０において、表示制御部１５３は、一致すると判定した場合、画像信号を所定画像として表示する。
【０１３２】
ステップＳ２４０において、表示制御部１５３は、一致しないと判定した場合、画像信号を所定画像として表示しない。
【０１３３】
また、出力制御部１５４は、入力部１５１に入力された基準クロック信号を入力する。出力制御部１５４は、基準クロック信号に基づいて、検出信号の入力波形が“Ｌｏｗ”から“Ｈｉｇｈ”に遷移するタイミングを１クロック（１周期）だけ遅延させとともに、出力部１５２を介して、遅延させた検出信号を検出出力電極１２３１から出力する。
【０１３４】
ここで、図１２を参照して、２ページ目に位置する情報表示パネル１００＃２に所定画像を表示させる場合を例に挙げて、以下に情報表示装置１０の処理動作を説明する。図１２には、情報表示パネル１００に入力される基準クロック信号の波形と検出信号の波形と識別信号の波形の一例が示されている。
【０１３５】
複数の情報表示パネル１００＃１乃至＃２の各々の識別入力電極１２２２には、時点ｔ２において“Ｌｏｗ”から“Ｈｉｇｈ”に遷移する波形の識別信号が入力される（ステップＳ２１０）。
【０１３６】
また、１ページ目に位置する情報表示パネル１００＃１は、時点ｔ１において“Ｌｏｗ”から“Ｈｉｇｈ”に遷移する波形の検出信号を入力する（ステップＳ２１０）。情報表示パネル１００＃１の表示制御部１５３は、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングとが、一致するか否かを判定する（ステップＳ２２０）。この場合、一致しないため、情報表示パネル１００＃１の表示制御部１５３は、画像信号を所定画像として表示しない（ステップＳ２４０）。
【０１３７】
情報表示パネル１００＃１の出力制御部１５４は、検出信号の“Ｌｏｗ”から“Ｈｉｇｈ”に遷移する波形のタイミングを１クロックだけ遅延させることによって、入力波形が時点ｔ２において“Ｌｏｗ”から“Ｈｉｇｈ”に遷移する検出信号を、検出出力電極１２３１から出力する（ステップＳ２４０）。
【０１３８】
一方、２ページ目に位置する情報表示パネル１００＃２の検出入力電極１２２１は、情報表示パネル１００＃１によって遅延された検出信号を入力する（ステップＳ２１０）。
【０１３９】
情報表示パネル１００＃２の表示制御部１５３は、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングとが、一致するか否かを判定する（ステップＳ２２０）。この場合、時点ｔ２において一致するため、情報表示パネル１００＃２の表示制御部１５３は、画像信号を所定画像として表示する（ステップＳ２３０）。
【０１４０】
なお、上述した実施形態では、表示制御部１５３は、検出信号の入力波形及び識別信号の入力波形が“Ｌｏｗ”から“Ｈｉｇｈ”に遷移するタイミングが一致するか否かを判定していたが、“Ｈｉｇｈ”から“Ｌｏｗ”に遷移するタイミングが一致するか否かを判定して、所定画像を表示すべきか否かを判定してもよい。
【０１４１】
（作用・効果）
本実施形態に係る情報表示装置１０では、出力制御部１５４が、検出入力電極１２２１から入力された検出信号の“Ｌｏｗ”から“Ｈｉｇｈ”に遷移する波形のタイミングを１クロックだけ遅延させて、検出出力電極１２３１から出力する。よって、複数の情報表示パネル１００の各々には、検出信号の入力波形の“Ｌｏｗ”から“Ｈｉｇｈ”に遷移するタイミングが、複数の情報表示パネル１００の各々の順番に応じて異なるようにして入力される。
【０１４２】
複数の情報表示パネル１００の各々では、表示制御部１５３が、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングと、が一致するか否かを判定する。表示制御部１５３は、それぞれの入力波形が“Ｌｏｗ”から“Ｈｉｇｈ”に遷移するタイミングが一致すると判定した場合、画像信号を所定画像として表示する。
【０１４３】
このように、情報表示装置１０では、情報表示パネル１００が、検出信号の入力波形が“Ｌｏｗ”から“Ｈｉｇｈ”に遷移するタイミングと、識別信号の入力波形が“Ｌｏｗ”から“Ｈｉｇｈ”に遷移するタイミングとが一致するか否かに応じて、画像信号を所定画像として表示するので、駆動装置２００が、表示すべき情報表示パネル１００のみに所定画像を表示させることができる。
【０１４４】
［第３実施形態］
次に、本発明の第３実施形態について説明する。本実施形態に係る情報表示装置１０では、複数の情報表示パネル１００の各々が、識別信号を入力せずに、入力電極部１２２から入力された検出信号と、予め定められた特定情報とに基づいて、画像信号を所定画像として表示すべきか否かを判定する。
【０１４５】
以下に、本実施形態に係る情報表示装置１０の構成について、上述した第１乃至第２実施形態との相違点に着目して説明する。
【０１４６】
（駆動装置の電極と情報表示パネルの電極の構成）
図１３には、本実施形態に係る情報表示装置１０において、駆動装置２００の着脱機構２２０と、複数の情報表示パネル１００のコネクタ部１２０との短手方向（Ｙ方向）における断面図が示されている。
【０１４７】
図１３に示すように、本実施形態に係る情報表示装置１０では、着脱機構２２０の駆動装置側電極２２１が、検出出力電極２２１１ａ乃至２２１１ｃと、制御出力電極２２１３ａ乃至２２１３ｄとを備える。
【０１４８】
検出出力電極２２１１ａ乃至２２１１ｃは、検出信号を出力する。ここで、本実施形態に係る検出信号は、検出出力電極２２１１ａ乃至２２１１ｃの３つの電極に入力されることによって、ビット列データを示す。具体的に、検出出力電極２２１１ａ乃至２２１１ｃの各々に“Ｈｉｇｈ（１）”又は“Ｌｏｗ（０）”を示す検出信号が入力される。検出出力電極２２１１ａ乃至２２１１ｃの各々から、検出信号が入力されることによって、３ビットのビット列データ（例えば、“００１”）が示される。
【０１４９】
また、検出出力電極２２１１ａから出力された検出信号は、複数の情報表示パネル１００の各々によって、ビット列データに対して、所定の変更処理が実行されながら、全ての情報表示パネル１００に出力される。例えば、検出信号は、複数の情報表示パネル１００の各々によって、“０００”から“００１”にビット列データの値を１ずつ追加する所定の変更処理が繰り返し実行されながら、全ての情報表示パネル１００に出力される。
【０１５０】
制御出力電極２２１３ａ乃至２２１３ｄは、画像信号と制御信号とを出力する。なお、制御出力電極２２１３ａ乃至２２１３ｄは、これ以外にも、電源用電力なども出力する。
【０１５１】
本実施形態に係る情報表示パネル１００では、入力電極部１２２が、検出入力電極１２２１ａ乃至１２２１ｃと、制御入力電極１２２３ａ乃至１２２３ｄとを有する。
【０１５２】
検出入力電極１２２１ａ乃至１２２１ｃは、検出信号を入力する。制御入力電極１２２３ａ乃至１２２３ｄは、画像信号と制御信号とを入力する。
【０１５３】
出力電極部１２３は、検出出力電極１２３１ａ乃至１２３１ｃと、制御出力電極１２３３ａ乃至１２３３ｄとを有する。
【０１５４】
検出出力電極１２３１ａ乃至１２３１ｃは、後述する制御回路１５０において、ビット列データの値を変更された検出信号を出力する。制御出力電極１２３３ａ乃至１２３３ｄは、画像信号と制御信号とを出力する。
【０１５５】
なお、図１３に示すように、制御入力電極１２２３ａ乃至１２２３ｃと制御出力電極１２３３ａ乃至１２３３ｃとは、それぞれが互いに電気的に接続されている。このような構成によって、制御入力電極１２２３ａ乃至１２２３ｃから入力された画像信号と制御信号とは、制御出力電極１２３３ａ乃至１２３３ｃから直接出力される。
【０１５６】
（制御回路の構成）
次に、図１４を参照して本実施形態に係る制御回路１５０の構成について説明する。図１４には、制御回路１５０の構成と、入力電極部１２２及び出力電極部１２３と制御回路１５０との接続関係を示すブロック図が示されている。
【０１５７】
図１４に示すように、制御回路１５０は、入力部１５１と、出力部１５２と、表示制御部１５３と、出力制御部１５４と、記憶部１５５とを備える。
【０１５８】
入力部１５１は、入力電極部１２２と接続する。具体的に、入力部１５１は、検出入力電極１２２１ａ乃至１２２１ｃと、制御入力電極１２２３ａ乃至１２２３ｄと接続し、検出信号と画像信号とを入力する。
【０１５９】
出力部１５２は、検出出力電極１２３１ａ乃至１２３１ｃとＩＣドライバ１１２ａ乃至１１２ｅと接続する。出力部１５２は、出力制御部１５４から出力される検出信号を、検出出力電極１２３１ａ乃至１２３１ｃに出力する。また、出力部１５２は、表示制御部１５３から出力される信号を、ＩＣドライバ１１２ａ乃至１１２ｅに出力する。
【０１６０】
記憶部１５５は、所定画像を表示すべき情報表示パネルを特定する予め定められた特定情報を記憶する。具体的に、記憶部１５５は、特定情報として、所定のビット列データ（例えば、ビット列データ“００１”）を予め記憶している。なお、上述した特定情報は、複数の情報表示パネル１００の各々の記憶部１５５において、共通のビット列データが記憶される。
【０１６１】
表示制御部１５３は、入力電極部１２２から入力された検出信号と、記憶部１５５に記憶される特定情報とに基づいて、画像信号を所定画像として表示すべきか否かを判定する。具体的に、表示制御部１５３は、検出信号によって示されるビット列データと、記憶部１５５に記憶される所定のビット列データとに基づいて、画像信号を所定画像として表示すべきか否かを決定する。
【０１６２】
より詳細に、表示制御部１５３は、入力部１５１を介して、検出入力電極１２２１ａ乃至１２２１ｃから検出信号を入力する。表示制御部１５３は、検出入力電極１２２１ａ乃至１２２１ｃに入力された検出信号によって示されるビット列データと、記憶部１５５に記憶される所定のビット列データとが、一致するか否かを判定する。
【０１６３】
表示制御部１５３は、検出信号によって示されるビット列データと、記憶部１５５に記憶される所定のビット列データとが、一致すると判定した場合、画像信号を所定画像として表示する。具体的に、表示制御部１５３は、画像信号を所定画像として表示領域１１１に表示するように、出力部１５２を介して、ＩＣドライバ１１２ａ乃至１１２ｅに指示する。
【０１６４】
一方、表示制御部１５３は、検出信号によって示されるビット列データと、記憶部１５５に記憶される所定のビット列データとが、一致しないと判定した場合、画像信号を所定画像として表示しない。
【０１６５】
出力制御部１５４は、入力電極部１２２から入力された検出信号に対して、検出信号によって検出される順番を一つ変更する所定の変更処理を行って、検出信号を出力電極部１２３から出力する。具体的に、出力制御部１５４は、所定の変更処理として、入力電極部１２２に入力された検出信号によって示されるビット列データを変更し、ビット列データを変更した検出信号を出力電極部から出力する。
【０１６６】
より詳細に、出力制御部１５４は、検出入力電極１２２１ａ乃至１２２１ｃから入力された検出信号のビット列データを取得する。出力制御部１５４は、所定の変更処理として、取得したビット列データに対して、値を一つ追加するように検出信号を変更する。例えば、出力制御部１５４は、入力された検出信号によって示されるビット列データ“０００”である場合、“００１”に変更するように検出信号を出力する。また、出力制御部１５４は、出力部１５２を介して、変更した検出信号を検出出力電極１２３１ａ乃至１２３１ｃから出力する。
【０１６７】
また、本実施形態に係る情報表示装置１０では、複数の情報表示パネル１００の各々において、検出信号によって示されるビット列データを変更する所定の変更処理が繰り返し実行されるため、複数の情報表示パネル１００の各々の入力電極部１２２に入力される検出信号によって示されるビット列データは、複数の情報表示パネル１００の各々の順番に応じて異なるように入力される。
【０１６８】
（情報表示パネルの処理動作）
次に図１５を参照して、本実施形態に係る情報表示パネル１００の処理動作について説明する。図１５は、情報表示パネル１００の処理を示すフローチャートである。
【０１６９】
ステップＳ３１０において、情報表示パネル１００の入力電極部１２２には、駆動装置２００から、画像信号と検出信号とが入力される。具体的に、入力電極部１２２において、検出入力電極１２２１ａ乃至１２２１ｃに検出信号が入力され、制御入力電極１２２３ａ乃至１２２３ｄに画像信号が入力される。
【０１７０】
このとき、駆動装置２００から出力される検出信号は、所定画像を表示すべき情報表示パネル１００に記憶される特定情報を考慮して出力される。具体的に、駆動装置２００の検出出力電極２２１１ａ乃至２２１１ｃは、所定画像を表示すべき順番に位置する情報表示パネル１００に検出信号が入力される際に、当該情報表示パネル１００に記憶されている所定ビット列データと一致するように、逆算されたビット列データを示す検出信号を出力する。
【０１７１】
ステップＳ３２０において、制御回路１５０では、表示制御部１５３は、検出信号によって示されるビット列データと、記憶部１５５に記憶される所定のビット列データとに基づいて、画像信号を所定画像として表示すべきか否かを判定する。
【０１７２】
具体的に、表示制御部１５３は、入力部１５１を介して、検出入力電極１２２１ａ乃至１２２１ｃから検出信号を入力する。表示制御部１５３は、検出入力電極１２２１ａ乃至１２２１ｃに入力された検出信号によって示されるビット列データと、記憶部１５５に記憶される所定のビット列データとが、一致するか否かを判定する。
【０１７３】
ステップＳ３３０において、表示制御部１５３は、検出信号によって示されるビット列データと、記憶部１５５に記憶される所定のビット列データとが、一致すると判定した場合、画像信号を所定画像として表示する。
【０１７４】
ステップＳ３４０において、表示制御部１５３は、検出信号によって示されるビット列データと、記憶部１５５に記憶される所定のビット列データとが、一致しないと判定した場合、画像信号を所定画像として表示しない。
【０１７５】
また、出力制御部１５４は、入力部１５１を介して、検出入力電極１２２１ａ乃至１２２１ｃから入力された検出信号のビット列データを取得する。出力制御部１５４は、所定の変更処理として、取得したビット列データに対して、値を一つ追加するように検出信号を変更する。出力制御部１５４は、出力部１５２を介して、変更した検出信号を検出出力電極１２３１ａ乃至１２３１ｃから出力する。
【０１７６】
ここで、図１６を参照して、２ページ目に位置する情報表示パネル１００＃２に所定画像を表示させる場合を例に挙げて、以下に情報表示装置１０の処理動作を説明する。図１６には、情報表示パネル１００に入出力される検出信号によって示されるビット列データの一例が示されている。なお、以下の例では、情報表示パネル１００＃１乃至＃２の各々の記憶部１５５に記憶される所定のビット列データは、“００１”であることとする。
【０１７７】
１ページ目に位置する情報表示パネル１００＃１は、検出入力電極１２２１ａ乃至１２２１ｃに入力された検出信号を入力する（ステップＳ３１０）。情報表示パネル１００＃１の表示制御部１５３は、入力された検出信号によって示されるビット列データと、記憶部１５５に記憶される所定のビット列データとが、一致するか否かを判定する（ステップＳ３２０）。この場合、一致しないため、情報表示パネル１００＃１の表示制御部１５３は、画像信号を所定画像として表示しない（ステップＳ３４０）。
【０１７８】
また、情報表示パネル１００＃１の出力制御部１５４は、検出信号によって示されるビット列データ（図１６の例では、“０００”）に対して、値を一つ追加したビット列データ（図１６の例では、“００１”）を示すように検出信号を変更する。出力制御部１５４は、出力部１５２を介して、変更した検出信号を検出出力電極１２３１ａ乃至１２３１ｃから出力する（ステップＳ３４０）。
【０１７９】
一方、２ページ目に位置する情報表示パネル１００＃２の検出入力電極１２２１は、情報表示パネル１００＃１によって変更されたビット列データ（図１６の例では、“００１”）を示す検出信号を入力する（ステップＳ３１０）。
【０１８０】
情報表示パネル１００＃２の表示制御部１５３は、検出信号によって示されるビット列データ（図１６の例では、“００１”）と、記憶部１５５に記憶される所定のビット列データ（図１６の例では、“００１”）とが、一致すると判定するか否かを判定する（ステップＳ３２０）。この場合、一致するため、情報表示パネル１００＃２の表示制御部１５３は、画像信号を所定画像として表示する（ステップＳ３３０）。
【０１８１】
（作用・効果）
本実施形態に係る情報表示装置１０では、出力制御部１５４が、検出入力電極１２２１ａ乃至１２２１ｃから入力された検出信号によって示されるビット列データの値を１つ追加するように変更して、検出出力電極１２３１ａ乃至１２３１ｃから出力する。よって、複数の情報表示パネル１００の各々には、検出信号によって示されるビット列データが、複数の情報表示パネル１００の各々の順番に応じて異なるようにして入力される。
【０１８２】
複数の情報表示パネル１００の各々では、表示制御部１５３が、検出信号によって示されるビット列データと、記憶部１５５に記憶される所定のビット列データとが、一致するか否かを判定する。表示制御部１５３は、検出信号によって示されるビット列データと、記憶される所定のビット列データとが、一致すると判定した場合、画像信号を所定画像として表示する。
【０１８３】
このように、情報表示装置１０では、情報表示パネル１００が、入力した検出信号によって示されるビット列データと、記憶部１５５に記憶される所定のビット列データとが、一致するか否かに応じて、画像信号を所定画像として表示する。よって、駆動装置２００は、検出信号を出力する場合、所定画像を表示すべき情報表示パネル１００に検出信号が入力される際に、当該情報表示パネル１００に記憶されている所定ビット列データと一致するように考慮した検出信号を出力することによって、表示すべき情報表示パネル１００のみに所定画像を表示させることができる。
【０１８４】
［第４実施形態］
次に、本発明の第４実施形態について説明する。本実施形態に係る情報表示装置１０では、複数の情報表示パネル１００の各々が、検出信号の電圧値と、予め定められた所定電圧値とに基づいて、画像信号を所定画像として表示すべきか否かを判定する。
【０１８５】
以下に、本実施形態に係る情報表示装置１０の構成について、上述した第１乃至第３実施形態との相違点に着目して説明する。
【０１８６】
（駆動装置の電極と情報表示パネルの電極の構成）
図１７には、本実施形態に係る情報表示装置１０において、駆動装置２００の着脱機構２２０と、複数の情報表示パネル１００のコネクタ部１２０との短手方向（Ｙ方向）における断面図が示されている。
【０１８７】
図１７に示すように、本実施形態に係る情報表示装置１０では、着脱機構２２０の駆動装置側電極２２１が、検出出力電極２２１１と、制御出力電極２２１３ａ乃至２２１３ｆとを備える。
【０１８８】
検出出力電極２２１１は、検出信号を出力する。ここで、本実施形態に係る検出信号は、複数の情報表示パネル１００の各々によって、所定の変更処理として、検出信号の電圧値が変更されながら、全ての情報表示パネル１００に出力される。
【０１８９】
例えば、検出信号は、複数の情報表示パネル１００の各々によって、電圧値を１Ｖずつ増加される所定の変更処理を繰り返し実行されながら、全ての情報表示パネル１００に出力される。
【０１９０】
制御出力電極２２１３ａ乃至２２１３ｆは、画像信号と制御信号とを出力する。なお、制御出力電極２２１３ａ乃至２２１３ｆは、これ以外にも、電源用電力なども出力する。
【０１９１】
本実施形態に係る情報表示パネル１００では、入力電極部１２２が、検出入力電極１２２１と、制御入力電極１２２３ａ乃至１２２３ｆとを有する。検出入力電極１２２１は、検出信号を入力する。制御入力電極１２２３ａ乃至１２２３ｆは、画像信号と制御信号とを入力する。
【０１９２】
出力電極部１２３は、検出出力電極１２３１と、制御出力電極１２３３ａ乃至１２３３ｆとを有する。検出出力電極１２３１は、後述する制御回路１５０によって電圧値が変更された検出信号を出力する。制御出力電極１２３３ａ乃至１２３３ｆは、画像信号と制御信号とを出力する。
【０１９３】
なお、図１７に示すように、制御入力電極１２２３ａ乃至１２２３ｆと制御出力電極１２３３ａ乃至１２３３ｆとは、それぞれが互いに電気的に接続されている。このような構成によって、制御入力電極１２２３ａ乃至１２２３ｆから入力された画像信号と制御信号とは、制御出力電極１２３３ａ乃至１２３３ｆから直接出力される。
【０１９４】
（制御回路の構成）
次に、図１８を参照して本実施形態に係る制御回路１５０の構成について説明する。図１８には、制御回路１５０の構成と、入力電極部１２２及び出力電極部１２３と制御回路１５０との接続関係を示すブロック図が示されている。
【０１９５】
図１８に示すように、制御回路１５０は、入力部１５１と、出力部１５２と、表示制御部１５３と、出力制御部１５４と、記憶部１５５とを備える。
【０１９６】
入力部１５１は、入力電極部１２２と接続する。具体的に、入力部１５１は、検出入力電極１２２１と、制御入力電極１２２３ａ乃至１２２３ｆと接続し、検出信号と画像信号とを入力する。
【０１９７】
出力部１５２は、検出出力電極１２３１とＩＣドライバ１１２ａ乃至１１２ｅと接続する。出力部１５２は、出力制御部１５４から出力される検出信号を、検出出力電極１２３１に出力する。また、出力部１５２は、表示制御部１５３から出力される信号を、ＩＣドライバ１１２ａ乃至１１２ｅに出力する。
【０１９８】
記憶部１５５は、予め定められる特定情報として、所定電圧値（例えば、電圧値“２Ｖ”）を予め記憶している。なお、上述した特定情報は、複数の情報表示パネル１００の各々の記憶部１５５において、共通の所定電圧値が記憶される。
【０１９９】
表示制御部１５３は、検出信号の電圧値と、記憶部１５５に記憶される所定電圧値とに基づいて、画像信号を所定画像として表示すべきか否かを判定する。
【０２００】
具体的に、表示制御部１５３は、入力部１５１を介して、検出入力電極１２２１から検出信号を入力する。表示制御部１５３は、検出入力電極１２２１に入力された検出信号の電圧値を測定するとともに、測定した検出信号の電圧値と、記憶部１５５に記憶される所定電圧値とが、一致するか否かを判定する。
【０２０１】
表示制御部１５３は、検出信号の電圧値と、記憶部１５５に記憶される所定電圧値とが、一致すると判定した場合、画像信号を所定画像として表示する。具体的に、表示制御部１５３は、画像信号を所定画像として表示領域１１１に表示するように、出力部１５２を介して、ＩＣドライバ１１２ａ乃至１１２ｅに指示する。
【０２０２】
一方、表示制御部１５３は、検出信号の電圧値と、記憶部１５５に記憶される所定電圧値とが、一致しないと判定した場合、画像信号を所定画像として表示しない。
【０２０３】
出力制御部１５４は、入力電極部１２２から入力された検出信号に対して、検出信号によって検出される順番を増加させる所定の変更処理を行って、入力電極部１２２に入力された検出信号の電圧値を変更して、検出信号を出力電極部１２３から出力する。
【０２０４】
具体的に、出力制御部１５４は、検出入力電極１２２１から入力された検出信号の電圧値を取得する。出力制御部１５４は、所定の変更処理として、検出信号の電圧値を所定量だけ増加するように検出信号を変更する。例えば、出力制御部１５４は、入力された検出信号の電圧値“１Ｖ”を、“２Ｖ”に変更する。出力制御部１５４は、出力部１５２を介して、変更した検出信号を検出出力電極１２３１から出力する。このようにして、複数の情報表示パネル１００の各々では、一定の規則性を持って電圧値を変更した検出信号が、出力電極部１２３から出力される。
【０２０５】
また、本実施形態に係る情報表示装置１０では、複数の情報表示パネル１００の各々において、検出信号の電圧値を変更する所定の変更処理が繰り返し実行されるため、複数の情報表示パネル１００の各々の入力電極部１２２に入力される検出信号の電圧値は、複数の情報表示パネル１００の各々の順番に応じて異なるように入力される。
【０２０６】
（情報表示パネルの処理動作）
次に図１９を参照して、本実施形態に係る情報表示パネル１００の処理動作について説明する。図１９は、情報表示パネル１００の処理を示すフローチャートである。
【０２０７】
ステップＳ４１０において、情報表示パネル１００の入力電極部１２２には、駆動装置２００から、画像信号と検出信号とが入力される。具体的に、入力電極部１２２において、検出入力電極１２２１に検出信号が入力され、制御入力電極１２２３ａ乃至１２２３ｆに画像信号が入力される。
【０２０８】
このとき、駆動装置２００から出力される検出信号は、所定画像を表示すべき情報表示パネル１００に記憶される所定電圧値を考慮して出力される。具体的に、駆動装置２００の検出出力電極２２１１は、検出信号が情報表示パネル１００＃２に入力される際に、情報表示パネル１００＃２の記憶部１５５に記憶されている所定電圧値と一致するように、逆算された電圧値によって検出信号を出力する。
【０２０９】
ステップＳ４２０において、制御回路１５０では、表示制御部１５３は、検出信号の電圧値と、記憶部１５５に記憶される所定電圧値とに基づいて、画像信号を所定画像として表示すべきか否かを判定する。
【０２１０】
具体的に、表示制御部１５３は、入力部１５１を介して、検出入力電極１２２１から検出信号を入力する。表示制御部１５３は、検出入力電極１２２１に入力された検出信号の電圧値を測定するとともに、測定した検出信号の電圧値と、記憶部１５５に記憶される所定電圧値とが、一致するか否かを判定する。
【０２１１】
ステップＳ４３０において、表示制御部１５３は、一致すると判定した場合、画像信号を所定画像として表示する。
【０２１２】
ステップＳ４４０において、表示制御部１５３は、一致しないと判定した場合、画像信号を所定画像として表示しない。
【０２１３】
また、出力制御部１５４は、入力部１５１を介して、検出入力電極１２２１から入力された検出信号の電圧値を変更して出力する。具体的に、出力制御部１５４は、検出入力電極１２２１から入力された検出信号の電圧値を取得する。出力制御部１５４は、所定の変更処理として、検出信号の電圧値を所定量だけ増加するように検出信号を変更する。出力制御部１５４は、出力部１５２を介して、変更した検出信号を検出出力電極１２３１から出力する。
【０２１４】
ここで、図２０を参照して、２ページ目に位置する情報表示パネル１００＃２に所定画像を表示させる場合を例に挙げて、以下に情報表示装置１０の処理動作を説明する。図２０には、情報表示パネル１００に入出力される検出信号の電圧値の一例が示されている。なお、以下の例では、情報表示パネル１００＃１乃至＃２の各々の記憶部１５５に記憶される所定電圧値は、“２Ｖ”であることとする。
【０２１５】
１ページ目に位置する情報表示パネル１００＃１は、検出入力電極１２２１ａ乃至１２２１ｃに入力された検出信号を入力する（ステップＳ４１０）。情報表示パネル１００＃１の表示制御部１５３は、入力された検出信号の電圧値（図２０の例では、“１Ｖ”）と、記憶部１５５に記憶される所定電圧値“２Ｖ”とが、一致するか否かを判定する（ステップＳ４２０）。この場合、一致しないため、情報表示パネル１００＃１の表示制御部１５３は、画像信号を所定画像として表示しない（ステップＳ４４０）。
【０２１６】
また、情報表示パネル１００＃１の出力制御部１５４は、検出信号の電圧値（図２０の例では、“１Ｖ”）に対して、検出信号の電圧値を１Ｖだけ増加（図２０の例では、“２Ｖ”）させる。出力制御部１５４は、出力部１５２を介して、電圧値を増加した検出信号を検出出力電極１２３１から出力する（ステップＳ４４０）。
【０２１７】
一方、２ページ目に位置する情報表示パネル１００＃２の検出入力電極１２２１は、情報表示パネル１００＃１によって電圧値が変更された検出信号（図２０の例では、“２Ｖ”）を入力する（ステップＳ４１０）。
【０２１８】
情報表示パネル１００＃２の表示制御部１５３は、検出信号の電圧値（図２０の例では、“２Ｖ”）と、記憶部１５５に記憶される所定電圧値“２Ｖ”とが、一致するか否かを判定する（ステップＳ４２０）。この場合、一致するため、情報表示パネル１００＃２の表示制御部１５３は、画像信号を所定画像として表示する（ステップＳ４３０）。
【０２１９】
（作用・効果）
本実施形態に係る情報表示装置１０では、出力制御部１５４が、検出入力電極１２２１から入力された検出信号の電圧値を所定量（１Ｖ）だけ増加して、検出出力電極１２３１から出力する。よって、複数の情報表示パネル１００の各々には、検出信号の電圧値が、複数の情報表示パネル１００の各々の順番に応じて異なるようにして入力される。
【０２２０】
複数の情報表示パネル１００の各々では、表示制御部１５３が、検出信号の電圧値と、記憶部１５５に記憶される所定電圧値とが、一致するか否かを判定する。表示制御部１５３は、検出信号の電圧値と、記憶される所定電圧値とが、一致すると判定した場合、画像信号を所定画像として表示する。
【０２２１】
このように、情報表示装置１０では、情報表示パネル１００が、入力した検出信号の電圧値と、記憶部１５５に記憶される所定電圧値とが、一致するか否かに応じて、画像信号を所定画像として表示する。よって、駆動装置２００は、検出信号を出力する場合、検出信号が所定画像を表示すべき情報表示パネル１００に入力される際に、当該情報表示パネル１００に記憶されている所定電圧値と一致するように考慮した検出信号を出力すれば、表示すべき情報表示パネル１００のみに所定画像を表示させることができる。
【０２２２】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０２２３】
例えば、上述した実施形態では、表示媒体は、白色表示媒体及び黒色表示媒体に限られず、他の色の表示媒体であってもよい。表示媒体は、対向する電極に印加した電圧で駆動し、電源からの給電を切断しても表示した情報が保持できる表示メモリ性があるものであればよい。例えば、帯電性粒子を含んだ粒子群を透明な絶縁液体中で駆動させる、マイクロカプセル型の電気泳動方式の情報表示パネルであってもよい。
【０２２４】
また、帯電性粒子を含んだ粒子群を有色の絶縁液体中で駆動させるタイプの電気泳動方式の情報表示パネルであってもよい。このタイプは、例えば、負帯電性白色粒子で構成した白色表示媒体が、青色のパラフィンオイルなどの有色の絶縁液体とともに隔壁で形成したセル内に封入されている。
【０２２５】
更に、情報表示パネルとしては、半分ずつ２色かつ異帯電極性に構成した球状粒子を表示媒体として使用するタイプ（例えば、マイクロカプセル内で回転駆動させるツイストボール方式）やコレステリック液晶を駆動させるタイプを使用することができる。なかでも、粒子群を気体中（真空中を含む）で駆動させる方式は、駆動応答速度が速く、表示メモリ性にも優れているので好ましい。
【０２２６】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【０２２７】
Ｌ…突出長、Ｓ…空間、Ｗ１乃至Ｗ２…幅、ｔ１乃至ｔ２…時点、１０…情報表示装置、１００…情報表示パネル、１１０…本体パネル部、１１０ａ〜１１０ｂ…縁部、１１１…表示領域、１１２ａ〜１１２ｅ…ＩＣドライバ、１１５…位置検出部、１２０…コネクタ部、１２１…コネクタ基板、１２１ａ…コネクタ表面、１２１ｂ…コネクタ裏面、１２２…入力電極部、１２３…出力電極部、１５０…制御回路、１５１…入力部、１５２…出力部、１５３…表示制御部、１５４…出力制御部、１５５…記憶部、２００…駆動装置、２１０…載置部、２１１…駆動回路、２２０…着脱機構、２２１…駆動装置側電極、３２０ａ…表面基板、３２０ｂ…裏面基板、３４０ａ…表面電極、３４０ｂ…裏面電極、３５０…隔壁、３９０Ｂ…黒色表示媒体、３９０Ｗ…白色表示媒体、１２２１…検出入力電極、１２２１ａ乃至１２２１ｃ…検出入力電極、１２２２ａ乃至１２２２ｂ…識別入力電極、１２２３ａ乃至１２２３ｆ…制御入力電極、１２２３ｂ…制御入力電極、１２２３ｃ…制御入力電極、１２３１…検出出力電極、１２３１ａ乃至１２３１ｃ…検出出力電極、１２３２ａ乃至１２３２ｂ…識別出力電極、１２３３ａ乃至１２３３ｆ…制御出力電極、２２１１ａ乃至２２１１ｃ…検出出力電極、２２１２ａ乃至２２１２ｂ…識別出力電極、２２１３ａ乃至２２１３ｆ…制御出力電極
【図１】
2013092629.tif 000003
【図２】
2013092629.tif 000004
【図３】
2013092629.tif 000005
【図４】
2013092629.tif 000006
【図５】
2013092629.tif 000007
【図６】
2013092629.tif 000008
【図７】
2013092629.tif 000009
【図８】
2013092629.tif 000010
【図９】
2013092629.tif 000011
【図１０】
2013092629.tif 000012
【図１１】
2013092629.tif 000013
【図１２】
2013092629.tif 000014
【図１３】
2013092629.tif 000015
【図１４】
2013092629.tif 000016
【図１５】
2013092629.tif 000017
【図１６】
2013092629.tif 000018
【図１７】
2013092629.tif 000019
【図１８】
2013092629.tif 000020
【図１９】
2013092629.tif 000021
【図２０】
2013092629.tif 000022